(57)【要約】      （修正有）【課題】かばん本体から電子機器を取り出さずに充電できる電子機器の充電構造を提供する。【解決手段】かばん本体１の内部３に配置された電子機器収納部４と、その電子機器収納部４に収納される電子機器１０と、電子機器収納部４に対向してかばん本体１の外に配置された非接触型の充電装置２０と、を具備するものである。この構造によると、電子機器収納部４に電子機器１０が収納された状態で、電子機器１０が充電することができる。【選択図】図１
0003229342.tif 000002
【実用新案登録請求の範囲】
【請求項１】
かばん本体（１）と、
前記かばん本体（１）の外周面（２）に隣接して、本体（１）の内部（３）に配置された電子機器収納部（４）と、
その電子機器収納部（４）に収納される電子機器（１０）と、
前記電子機器収納部（４）に対向して前記かばん本体（１）の外に配置された非接触型の充電装置（２０）と、
を具備し、
前記電子機器収納部（４）に電子機器（１０）が収納された状態で、電子機器（１０）が充電することができる電子機器の充電構造。
【請求項２】
請求項１に記載の収納された電子機器の充電構造において、
前記かばん本体（１）が背負いかばんであって、
前記電子機器収納部（４）が、そのかばん本体（１）の背当て部（５）に隣接して形成された電子機器の充電構造。
【請求項３】
請求項１または請求項２に記載の電子機器の充電構造において、
前記充電装置（２０）が、机（３０）の天板（３１）の下面（３３）、又は机（３０）の側面（３５）に配置された電子機器の充電構造。
【考案の詳細な説明】
【技術分野】
【０００１】
本考案は、かばん、特にランドセルやスクールバッグ等の内部に収納した電子機器に対して、かばんの外部から充電することができる構造に関する。
【背景技術】
【０００２】
近年、教育現場において、情報教育のツールとして、可搬性に優れ利用場所を選ばないタブレット型の端末を使用する方針に変わりつつある。
このタブレット型端末は、圧迫や衝撃等の外力に弱い精密機械であり、タブレット型端末に故障及び損傷を生じさせない構造を背負いかばんに付加することが必要である。
【０００３】
その一例として、下記特許文献１の構造が知られている。
この構造は、ランドセルの内部側の背板側に、タブレット型端末を収納するポケットが形成されており、そのポケットの上部からタブレット型端末を挿入するように構成されている。
このように構成することで、タブレット型端末を圧迫や衝撃から守ることができる。
【先行技術文献】
【特許文献】
【０００４】
【特許文献１】実用新案登録第３２２３８２９号公報
【考案の概要】
【考案が解決しようとする課題】
【０００５】
しかしながら、この構造の場合、ランドセルやスクールバッグ等のかばんからそのタブレット型端末を取り出して、タブレット型端末と充電器を接続して充電しなければならない。
学童や学生にとっては、このタブレット型端末をかばんから取出す作業が手間になり、電子機器への充電を忘れることが考えられる。
そこで、本考案はタブレット型端末をランドセルやスクールバッグから取り出さずに電子機器に充電するための構造を提供することを課題とする。
【課題を解決するための手段】
【０００６】
請求項１に記載の本考案は、かばん本体１と、前記かばん本体１の外周面２に隣接して、本体１の内部３に配置された電子機器収納部４と、その電子機器収納部４に収納される電子機器１０と、前記電子機器収納部４に対向して前記かばん本体１の外に配置された非接触型の充電装置２０とを具備し、前記電子機器収納部４に電子機器１０が収納された状態で、電子機器１０が充電することができる電子機器の充電構造である。
【０００７】
請求項２に記載の本考案は、請求項１に記載の電子機器の充電構造において、前記かばん本体１が背負いかばんであって、前記電子機器収納部４が、そのかばん本体１の背当て部５に隣接して形成された電子機器の充電構造である。
【０００８】
請求項３に記載の本考案は、請求項１または請求項２に記載の電子機器の充電構造において、前記充電装置２０が、机３０の天板３１の下面３３、又は机３０の側面３５に配置された電子機器の充電構造である。
【考案の効果】
【０００９】
請求項１に記載の考案は、かばん本体１の外に配置された非接触型の充電装置２０により、かばん本体１の内部の電子機器収納部４に電子機器１０が収納された状態で、電子機器１０が充電することができる電子機器の充電構造である。
この構造によれば、学童や学生が電子機器１０をかばんから取り出すことなく、電子機器１０への充電ができる。
【００１０】
請求項２に記載の考案は、上記構造において、かばん本体１が背負いかばんであって、その電子機器収納部４がかばん本体１の背当て部５に隣接して形成されたものである。
この構造によれば、電子機器収納部４が比較的外部からの衝撃等を受け難い背当て部５側に隣接して配置されている為、電子機器１０への衝撃を抑制でき、電子機器１０の破損を防止することができる。また、かばん本体１の内部に収納された電子機器１０の位置が把握しやすい為、非接触型の充電装置２０へのかばん本体１の設置が容易になる。
【００１１】
請求項３に記載の考案は、上記いずれかの構造において、充電装置２０が、机３０の天板３１の下面３３、又は机３０の側面３５に配置されたものである。
この構造によれば、充電装置２０を机３０の天板３１上に配置することがないため、机３０を広く使用することができ、作業効率が向上する。
【図面の簡単な説明】
【００１２】
【図１】本考案の電子機器の充電構造の第１の実施の形態を示す斜視図（Ａ）、および電子機器１０に充電している状態のＢ−Ｂ矢視要部断面図。
【図２】本考案で使用する充電装置２０の回路図。
【図３】本考案の電子機器の充電構造の第２の実施の形態を示す斜視図（Ａ）、および電子機器１０に充電している状態のＢ−Ｂ矢視要部断面図。
【図４】本考案の電子機器の充電構造の第３の実施の形態を示す斜視図。
【考案を実施するための形態】
【００１３】
次に、図面に基づいて本考案の実施の形態につき説明する。
本考案の実施例では、ランドセルやリュックサック等の背負かばんに最適な構造である。ただし、ランドセル等の背負いかばんに限らず、スクールバッグやビジネスバッグ等各種かばんにも適用できるものである。
本実施例では、かばんとして学童が使用するランドセルを例に挙げて説明する。
【００１４】
図１は、本考案の電子機器の充電構造の第１の実施の形態を示す斜視図（Ａ）、および電子機器１０に充電している状態の図１（Ａ）のＢ−Ｂ矢視要部断面図である。図２は、本考案で使用する充電装置２０の回路図を示している。
本考案で使用するかばん本体１（ランドセル）は、図１に示す如く、主収納部３ａと副収納部３ｂからなる内部３の構造を有する。この主収納部３ａは、背当て部５と、それに対向して配置される前面部６とを有する箱状に形成されている。副収納部３ｂは、前面部６を境目にして、主収納部３ａと一体的に縫着されている。
【００１５】
図１（Ｂ）に示す如く、かばん本体１（ランドセル）の外周面２に隣接して、その主収納部３ａの背当て部５の内面側に電子機器収納部４が配置されている。その電子機器収納部４には、その内部に、充電して使用するタブレット型端末等の精密な電子機器１０が収納される。
【００１６】
この第１の実施の形態では、図１（Ａ）、同図（Ｂ）に示す如く、非接触型の充電装置２０が、机３０の天板３１の上面３２に取付けられている。
この充電装置２０の内部回路は、一例として図２に示すように構成されている。
充電装置２０は、少なくとも次の構成をとる。すなわち、充電装置２０内のインバータ２１が定電圧回路２２からの直流電圧を、制御回路２３の制御に従って高周波に変換し、磁力発生コイルＬ１で磁力線を発生させる。
一方、電子機器１０の内部には、少なくとも次の構成をとる。電子機器１０の内部の結合コイルＬ２が電磁誘導により、充電装置２０の磁力発生コイルＬ１の磁力線から高周波電力を取り出し、整流回路２４により整流した後、充電回路２５に供給する。充電回路２５は、整流された直流電圧によりバッテリ２６を充電する。
この充電装置２０には、図示しないフィードバック回路を設けることが望ましい。
【００１７】
このような非接触型の充電装置２０が、図１（Ａ）、同図（Ｂ）に示す如く、かばん本体１の電子機器収納部４に対向して、かばん本体１の外、この例では、机３０の天板３１の上面３２に取付けられている。
電子機器収納部４に電子機器１０が収納された状態で、図１（Ｂ）に示すように、かばん本体１（ランドセル）の背当て部５側を充電装置２０に接触させることによって、背当て部５を介して、非接触状態で電子機器１０を充電することができる。つまり、学童や学生は、電子機器１０をかばん本体１（ランドセル）から取り出すことなく、簡単に充電することができる。
背当て部５の外面側にクッション材が取り付けられているが、ある程度厚みのある状態においても、かばん本体１（ランドセル）の内部に収納された電子機器への充電は、非接触型の充電装置２０によるものであれば十分にその機能を発揮する。
【００１８】
図３は、本考案の電子機器の充電構造の第２の実施の形態を示す斜視図（Ａ）、および電子機器１０に充電している状態を示す図３（Ａ）のＢ−Ｂ矢視要部断面図である。
この例が、第１の実施の形態と異なる点は、充電装置２０が机３０の天板３１の下面３３に取付けられている点である。
このように充電装置２０が取付けた場合、図３（Ａ）、同図（Ｂ）に示す如く、その充電装置２０の位置がわかるようにしておくことが好ましく、その一例として、同図のように、充電装置２０の位置に整合させて板材３４を机３０の天板３１の上面３２に配置しておくとよい。
【００１９】
図４は、本考案の電子機器の充電構造の第３の実施の形態を示す斜視図である。
この例が、第１の実施の形態と異なる点は、充電装置２０が机３０の側面３５に取付けられている点である。
このように充電装置２０が取付けた場合、図４に示す如く、その充電装置２０の上方にかばん本体１（ランドセル）の手持ち部７をかけるフックを取付けておくことが好ましい。この場合、かばん本体１（ランドセル）は、その底及び開口を垂直方向に向けることになる。このため、主収納部３ａに収納される図示しない他の教材により、電子機器収納部４が圧迫されないので、電子機器１０を保護しながら、非接触充電をすることができる。
【００２０】
上記いずれの考案も電子機器収納部４がかばん本体１（ランドセル）の背当て部５の内面に配置されている例により説明したが、その部分以外の場所を電子機器収納部４とすることもできる。例えば、かばん本体１の副収納部３ｂを電子機器収納部４とすることも可能であり、かぶせ蓋８の内側にポケット部を取付けて、そこを電子機器収納部４とすることもできる。
この例では、電子機器１０は精密機械としてタブレット型端末で説明したが、それより小型の携帯電話などでも、この考案は適用できる。このような場合であれば、かばん本体１の側面や底の内側に電子機器収納部４を形成し、本考案を適用することもできる。
【符号の説明】
【００２１】
１  かばん本体
２  外周面
３  内部
３ａ  主収納部
３ｂ  副収納部
４  電子機器収納部
５  背当て部
６  前面部
７  手持ち部
８  かぶせ蓋
【００２２】
１０  電子機器
２０  充電装置
２１  インバータ
２２  定電圧回路
２３  制御回路
２４  整流回路
２５  充電回路
２６  バッテリ
Ｌ１  磁力発生コイル
Ｌ２  結合コイル
【００２３】
３０  机
３１  天板
３２  上面
３３  下面
３４  板材
３５  側面
【図１】
0003229342.tif 000003
【図２】
0003229342.tif 000004
【図３】
0003229342.tif 000005
【図４】
0003229342.tif 000006